(57)【特許請求の範囲】
【請求項１】
対をなす押さえ刃体の両刃先部によりゲートを切り込み状態で挟着固定するゲート固定手段と、一方の前記押さえ刃体に沿って移動するカッターにより前記切り込み状態の挟着箇所を切断する切断手段とを備えたことを特徴とするゲート切断装置。
【発明の詳細な説明】
【０００１】
【産業上の利用分野】
本発明はゲート切断装置に関する。
【０００２】
【従来の技術】
従来より、この種のものとしてニッパー方式や打抜き方式の切断装置が知られている。ニッパー方式のものでは、一個のニッパーが成形パネルの複数のゲートに対応して順々に送られ、かつ切断していくもの、あるいは各ゲートにニッパーを配置して全てのゲートを一括して切断するものが知られている。打抜き方式のものでは上型の昇降動作によって下型の下刃と上型の上刃とにより全てのゲートを一括して切断するものである。
【０００３】
【発明が解決しようとする課題】
上述した各切断装置においてはゲート切断箇所を良好に固定する手段が備えられていないため切断動作が不安定になり、切断跡がきれいでなかったり、あるいは切断位置がずれたりするという問題があった。
【０００４】
そこで本発明は、安定した切断動作が可能なゲート切断装置を提供することを目的とする。
【０００５】
【課題を解決するための手段】
本発明のゲート切断装置は、対をなす押さえ刃体の両刃先部によりゲートを切り込み状態で挟着固定するゲート固定手段と、一方の前記押さえ刃体に沿って移動するカッターにより前記切り込み状態の挟着箇所を切断する切断手段とを備えたものである。
【０００６】
【作用】
上記構成により、ゲートが対をなす押さえ刃体により切り込み状態で挟着固定され、この切り込み状態の挟着箇所がカッターにより切断される。
【０００７】
【実施例】
以下、本発明の実施例を添付図面を参照して説明する。図１乃至図３は本発明の一実施例を示し、エアシリンダーなどの駆動部１により上下移動する下側の押さえ刃体２を設け、この押さえ刃体２に対向して駆動部３により上下移動する上側の押さえ刃体４を配設して、両刃体２，４によりゲート５を挟着するゲート固定手段６と、駆動部７により前記刃体２，４に沿ってカッター８を移動させてゲート５の前記挟着箇所を切断する切断手段９とを備えて構成する。押さえ刃体２，４は平坦なカッター８の案内面１０と傾斜面１１とにより刃先部１２を形成している。カッター８は市販のものを使用している。そして、図１に示すように図示しない位置決め手段によりゲート５端を前記刃先部１２に対応させた状態でベース１３上に成形パネル１４を載置し、図２に示すように駆動部１，３の作動により上下の押さえ刃体２，４によりゲート５端を挟着固定するとともに、図３に示すように駆動部７の作動により前記案内面１０に沿ってカッター８を移動してゲート５の挟着箇所を切断するものである。このように本実施例ではゲート５端を両押さえ刃体２，４により確実に固定させた状態においてこの固定した箇所をゲート切断するように構成したから安定したゲート切断動作が可能になり、所望の箇所をきれいに切断できる。また、ゲートが肉厚であったり、樹脂の材質が切断し難いものである場合には、駆動部１，３の取り付け位置を適宜な調節手段により調節することにより両押さえ刃体２，４の刃先間のクリアランスをゲート５の厚みより相当小さくすることにより両押さえ刃体２，４でゲート５に切り込みを与え、この切り込み部分をカッター８で切断することもでき、その例を第２実施例である図４に示している。この例では駆動部１，３の位置調節をネジ１６と長孔１７により構成している。また本実施例では押さえ刃体２，４の刃先部１４およびカッター８の刃先形状をゲート５端の形状に合わせてアール形にしており、これによりゲート５端形状が直線以外のものであってもゲート５端からきれいに切断することができ切断跡の研磨処理を省略できる。また上述した切断装置は１つの切断装置を周知技術により各ゲートに対し順々に移動しかつ切断してもよく、また各ゲートに対しそれぞれ切断装置を配設して全てのゲートを一括して切断してもよい。また刃先部１２の傾斜面１１の角度は適宜選定でき、また刃先部は平刃等でもよい。また成形物１８に対し第１実施例の様に一個のゲート５を有するものや第２実施例のように二個のゲート５を有するものに適用できる。図５乃至図７は打抜き方式に適用したゲート切断装置を示す第３実施例であり、上記実施例と同一部分に同一符号を付して説明すると、ベース１３に第１の案内棒１９が立設され、この案内棒１９に沿って昇降基板２０が上下移動可能に設けられているとともに駆動装置７により上下駆動するようになっている。ベース１３には位置決め部２１が設けられ、この位置決め部２１によりランナー２２の数カ所が位置決めされる。また、ベース１３には成形パネル１４の各成形物１８に対応して通穴２３が貫通形成されている。前記昇降基板２０には第２の案内棒２５が垂設され、この案内棒２５に沿って基板状の押さえ部材２６が上下動可能に設けられているとともにコイル状の押圧用のバネ２７により下方に付勢され、ストッパー２８により下限位置で保持されている。また、成形パネル１４の各ゲート５に対応して前記通穴２４の外縁部には下側の押さえ刃体２がネジ２９により固定され、上側の押さえ刃体４が前記押さえ部材２６の下面にネジ２９により固定されている。この押さえ刃体２，４はゲート５端を両刃先部１２により挟着するようにゲート長さ方向の位置が設定され、また各ゲート５を同時に圧着するように各ゲート５の厚みおよびランナー２２に対する高さ寸法に合わせて位置が設定されている。また昇降基板２０には各ゲート５に対応して市販のカッター８が前記案内面１０に沿うように設定された位置で押さえ部材２６の貫通穴３０を通して取り付け固定されている。また両押さえ刃体２，４の刃先部１２のゲート１２への切り込みを可能にし、かつこの切り込み量を調節可能な切り込み調節部材である度当部３１がベース１側および押さえ部材２６側にそれぞれ上下位置調節可能に設けられている。上記構成において、成形パネル１４を位置決め部２１により位置決めした状態で下側の押さえ刃体２に載置することにより各押さえ刃体２の刃先部１２上に各ゲート５の端部が当接する。駆動手段７の作動により昇降基板２０を下降させると、上側の押さえ刃体４の刃先部１２がゲート５の端に接する、そして昇降基板２０の下降が進むに伴い押さえ部材２６は度当部３１で設定された下限位置までバネ２７の付勢に抗して下降して各ゲート５の端部を挟着固定し、この状態でこの挟着箇所が押さえ刃板２，４の案内面１０に沿って下降するカッター８によりゲート切断されるものである。このように本実施例では、成形パネル１４の各ゲート５端を上下押さえ刃体２，４の両刃先部１２により挟着固定し、この状態でその挟着箇所をゲート切断するから安定した切断状態でゲート５をきれいに切断できる。また押さえ刃体２，４の切り込み量を必要に応じて増すことにより刃体２，４とカッター８とでゲート切断することになりそれだけカッター８の負担が少なくなるから市販のカッターで十分耐えられ安価になる。また刃体２，４の刃先部１２をゲート５に切り込ませて挟着する場合には各ゲート厚み寸法と両刃先部１２間のクリアランス設定量の誤差分をこの切り込み量で吸収することが可能になり全てのゲート５を確実に固定することができる。図８及び図９はエアーニッパー式に適用したゲート切断装置を示す第４実施例であり、枢軸３２により開閉可能な押さえ刃体２，４を有し、この押さえ刃体２，４の一方にニッパー状の刃先部１２が、他方にバネ３３により開き方向に付勢された柄部３４がそれぞれ形成され、周知の駆動ユニット３５により両刃先部１２が所定のクリアランスを持たせて閉じることによりゲート５を挟着固定するように構成されている。そして、図８の例では駆動軸３６と両柄部３４とがリンクアーム３７を介して枢支部３８により連結されている。また、前記枢軸３２にはカッター８が同軸に支持されており、カッター８の基端部と前記駆動軸３６がリンクアーム３９を介して枢支部３８により連結されている。この場合、カッター８は両押さえ刃体２，４の案内面１０に沿って移動でき、また駆動軸３６の動作により刃体２，４が１５度程度回転するのに対しカッター８が４５度程度回転するようにリンク機構を構成している。そして、本実施例においても図９に示すように駆動ユニット３５によりニッパー状の刃先部１２によりゲート５が挟着固定され、同時にその挟着箇所がカッター８により切断されるものであり、上記実施例と同様な効果を有する。図中４０はカッター８のストッパー、４１は引きバネである。図１０は別タイプのニッパー式に適用したものを示し、駆動ユニット３５により移動する押さえ刃体２が保持枠４２に案内され、この保持枠４２に押さえ刃体４が固定されている。また駆動ユニット３５によりカッター８が前記押さえ刃体２，４の外面に沿って移動するものであり、両押さえ刃体２，４で挟着された箇所をカッター８により切断するもので上記実施例と同様な効果を有する。図中４３は駆動軸３６と下側の押さえ刃体２との間に設けた押しバネである。なお、本発明は上記各実施例に限定されるものではなく本発明の要旨の範囲内において種々の変形実施が可能であり、例えば各実施例においてはカッターの反りを防止する案内部を適宜設けてもよい。また、ゲートの切断箇所は必ずしもゲート端である必要はなく適宜選定すればよい。また、成形物は単層成形、多層成形のものに適用可能である。
【０００８】
【発明の効果】
本発明は、対をなす押さえ刃体の両刃先部によりゲートを切り込み状態で挟着固定するゲート固定手段と、一方の前記押さえ刃体に沿って移動するカッターにより前記切り込み状態の挟着箇所を切断する切断手段とを備え、安定した切断動作が可能なゲート切断装置を提供できる。
【図面の簡単な説明】
【図１】  本発明の第１実施例を示す縦断面図である。
【図２】  本発明の第１実施例を示す縦断面図である。
【図３】  本発明の第１実施例を示す縦断面図である。
【図４】  本発明の第２実施例を示す平断面図である。
【図５】  本発明の第３実施例を示す縦断面図である。
【図６】  本発明の第３実施例を示す縦断面図である。
【図７】  本発明の第３実施例を示す縦断面図である。
【図８】  本発明の第４実施例を示す正面図である。
【図９】  本発明の第４実施例を示す正面図である。
【図１０】  本発明の第４実施例を示す斜視図である。
【符号の説明】
２，４    押さえ刃体
５    ゲート
６    ゲート固定手段
８    カッター
９    切断手段
１２    刃先部
【図１】
0003952089.tif 000002
【図２】
0003952089.tif 000003
【図３】
0003952089.tif 000004
【図４】
0003952089.tif 000005
【図５】
0003952089.tif 000006
【図６】
0003952089.tif 000007
【図７】
0003952089.tif 000008
【図８】
0003952089.tif 000009
【図９】
0003952089.tif 000010
【図１０】
0003952089.tif 000011